(57)【要約】【課題】仲間同士や家族同士で使用するのに便利な組合せが可能な構造を有し、屋外でも雨水等が入り込んでくることなく使用できる就寝用カプセルユニット及びこれを複数含む就寝用カプセル構造体を提供する。【解決手段】長さ方向を有する中空状の筐体と、前記筐体の長さ方向両端のうちの少なくとも一方に設けられた開口部と、前記筐体の底面側４隅に設けられた４つの脚部と、前記筐体の上面側４隅に設けられた前記４つの脚に対応した４つの凹部と、を有することを特徴とする就寝用カプセルユニット。【選択図】図１
2017137622.tif 000002
【特許請求の範囲】
【請求項１】
長さ方向を有する中空状の筐体と、
前記筐体の長さ方向両端のうちの少なくとも一方に設けられた開口部と、
前記筐体の底面側４隅に設けられた４つの脚部と、
前記筐体の上面側４隅に設けられた前記４つの脚に対応した４つの凹部と、
を有することを特徴とする就寝用カプセルユニット。
【請求項２】
前記就寝用カプセルユニットが、前記４つの脚部を置く凹部と、地面に対して略平行な面部と、を有する４つの台座部を具備すること、を特徴とする請求項１に記載の就寝用カプセルユニット。
【請求項３】
前記４つの台座部が、４本の管状部材で連結されており、枠状の土台を形成していること、を特徴とする請求項２に記載の就寝用カプセルユニット。
【請求項４】
前記４つの台座部が、単一の平板状部材に設けられており、平板状の土台を形成していること、を特徴とする請求項２に記載の就寝用カプセルユニット。
【請求項５】
前記就寝用カプセルユニットの底面側から上面側に延びる少なくとも第一の防水シート、第二の防水シート及び第三の防水シートの３枚を含み、前記第一の防水シート及び前記第二の防水シートが前記筐体の長さ方向両端を覆い、前記第三の防水シートが前記筐体の一の側面、上面及び他の側面を順に覆うジャケットを具備すること、を特徴とする請求項１〜４のうちのいずれかに記載の就寝用カプセルユニット。
【請求項６】
前記就寝用カプセルユニットの底面側から上面側に延びる少なくとも第一の防水シート、第二の防水シート、第三の防水シート及び第四の防水シートの４枚を含み、前記第一の防水シート及び前記第二の防水シートが前記筐体の長さ方向両端を覆い、前記第三の防水シートが前記筐体の一の側面、上面及び他の側面を順に覆い、前記第四の防水シートが前記筐体の他の側面、上面及び一の側面を順に覆いかつ前記第三の防水シートに重ねられるジャケットを具備すること、を特徴とする請求項１〜４のうちのいずれかに記載の就寝用カプセルユニット。
【請求項７】
前記第一の防水シート又は前記第二の防水シートが、前記筐体の開口部に対応する位置に開閉自在な窓部を有すること、を特徴とする請求項５又は６に記載の就寝用カプセルユニット。
【請求項８】
少なくとも前記第三の防水シートが、断熱材を挿入可能な収納部を有すること、を特徴とする請求項５〜７のうちのいずれかに記載の就寝用カプセルユニット。
【請求項９】
請求項１に記載の就寝用カプセルユニット複数個を積層されてなる就寝用カプセルユニット積層体を含むことを特徴とする就寝用カプセル構造体。
【請求項１０】
前記就寝用カプセルユニット積層体の底面側から上面側に延びる少なくとも第一の防水シート、第二の防水シート及び第三の防水シートの３枚を含み、前記第一の防水シート及び前記第二の防水シートが前記積層体の長さ方向両端を覆い、前記第三の防水シートが前記構造体の一の側面、上面及び他の側面を覆うジャケットを具備すること、を特徴とする請求項９に記載の就寝用カプセル構造体。
【請求項１１】
前記就寝用カプセルユニット積層体の底面側から上面側に延びる少なくとも第一の防水シート、第二の防水シート、第三の防水シート及び第四の防水シートの４枚を含み、前記第一の防水シート及び前記第二の防水シートが前記積層体の長さ方向両端を覆い、前記第三の防水シートが前記積層体の一の側面、上面及び他の側面を順に覆い、前記第四の防水シートが前記積層体の他の側面、上面及び一の側面を順に覆いかつ前記第四の防水シートに重ねられるジャケットを具備すること、を特徴とする請求項９に記載の就寝用カプセル構造体。
【請求項１２】
前記第一の防水シート又は前記第二の防水シートには、前記積層体において前記開口部に対応する位置に開閉自在な窓部を有すること、を特徴とする請求項９〜１１のうちのいずれかに記載の就寝用カプセル構造体。
【請求項１３】
少なくとも前記第三の防水シートが、断熱材を挿入可能な収納部を有すること、を特徴とする請求項１０〜１１のうちのいずれかに記載の就寝用カプセル構造体。
【発明の詳細な説明】
【技術分野】
【０００１】
本発明は、屋外でも使用可能な就寝用カプセルユニット及びこれを複数個含む就寝用カプセル構造体に関する。
【背景技術】
【０００２】
カプセルホテル等に用いられる就寝用カプセルユニットは一般に、人が内部に入ってそこで就寝できるように、設置状態で水平方向に長く延在する概略直方体の箱状をなしており、かかるカプセルユニットについては種々の発明乃至は考案が提案されている。
【０００３】
ところが、従来のカプセルユニットは、寝かせて置いた場合の高さ及び長手方向寸法ともに大き過ぎて建物内への搬入が困難であるという不都合や、ＦＲＰ製のハンドレイヤであることから寸法精度が低く組立てに高い技能が要求されるという不都合もあった。
【０００４】
これに対し、例えば特許文献１（特開平１１−１８２０７８号公報）においては、長手方向両端の端壁を形成する二枚の端部パネルと、幅方向両端の側壁を形成する二枚の側部パネルと、天井板を形成する一又は複数枚の天井パネルと、床板を形成する一又は複数枚の床パネルとを互いに結合し、高さ寸法を小さくする技術が提案されている。
【先行技術文献】
【特許文献】
【０００５】
【特許文献１】特開平１１−１８２０７８号公報
【発明の概要】
【発明が解決しようとする課題】
【０００６】
しかしながら、上記従来のカプセルユニットは、単一のカプセルユニットを寝かせて使用することのみを想定しているため、仲間同士や家族で使用するには不便である。また、屋外で使用することを想定していないため、各パネルの結合部分から雨水が入り込んでくるという問題がある。
【０００７】
そこで、本発明の目的は、仲間同士や家族同士で使用するのに便利な組合せが可能な構造を有し、屋外でも雨水等が入り込んでくることなく使用できる就寝用カプセルユニット及びこれを複数含む就寝用カプセル構造体を提供することにある。
【課題を解決するための手段】
【０００８】
上記の課題を解決すべく、本発明は、
長さ方向を有する中空状の筐体と、
前記筐体の長さ方向両端のうちの少なくとも一方に設けられた開口部と、
前記筐体の底面側４隅に設けられた４つの脚部と、
前記筐体の上面側４隅に設けられた前記４つの脚に対応した４つの凹部と、
を有することを特徴とする就寝用カプセルユニット、を提供する。
【０００９】
このような構成を有する本発明の就寝用カプセルユニットは、第一の就寝用カプセルユニットの４つの脚部が、第二の就寝用カプセルユニットの４つの凹部に乗るように、第一の就寝用カプセルユニットを第二の就寝用カプセルユニットに積層して就寝用カプセルユニット複数個を含む就寝用カプセル構造体とすることができ、仲間やカップルで利用するのに好適である。
【００１０】
また、積層は２段以上であればよく、積層した上記の構造体を複数並べて使用することも可能であり、この場合、例えば家族で利用するのに好適である。したがって、本発明は、このように少なくとも第一の就寝用カプセルユニットと第二の就寝用カプセルユニット具備するカプセル積層体（就寝用カプセルユニット複数個を含む就寝用カプセル構造体）をも提供するものである。
【００１１】
上記の本発明の就寝用カプセルユニットは、前記４つの脚部を置く凹部と、地面に対して略平行な面部と、を有する４つの台座部を具備するのが好ましい。かかる４つの台座部は、４本の管状部材で連結されていて、枠状の土台を形成していてもよく、また、単一の平板状部材に設けられて平板状の土台を形成していてもよい。
【００１２】
このような構成を有する本発明の就寝用カプセルユニットは、地面が幾分柔らかくても脚部が当該地面にめり込みにくく、就寝用カプセルユニットを安定的に設置して使用することができる。
【００１３】
また、上記本発明の就寝用カプセルユニットは、前記就寝用カプセルユニットの底面側から上面側に延びる少なくとも第一の防水シート、第二の防水シート及び第三の防水シートの３枚を含み、前記第一の防水シート及び前記第二の防水シートが前記筐体の長さ方向両端を覆い、前記第三の防水シートが前記筐体の一の側面、上面及び他の側面を順に覆うジャケットを具備してもよい。
【００１４】
また、上記本発明の就寝用カプセルユニットは、前記就寝用カプセルユニットの底面側から上面側に延びる少なくとも第一の防水シート、第二の防水シート、第三の防水シート及び第四の防水シートの４枚を含み、前記第一の防水シート及び前記第二の防水シートが前記筐体の長さ方向両端を覆い、前記第三の防水シートが前記筐体の一の側面、上面及び他の側面を順に覆い、前記第四の防水シートが前記筐体の他の側面、上面及び一の側面を順に覆いかつ前記第三の防水シートに重ねられるジャケットを具備してもよい。
【００１５】
このような構成を有する本発明の就寝用カプセルユニットは、簡単な構造で、屋外でも雨水等が入り込んでくることなく使用でき好ましい。これらの場合、前記第一の防水シート又は前記第二の防水シートには、前記筐体の開口部に対応する位置に開閉自在な窓部を有するのが好ましい。また、前記第三の防水シート（及び／又は前記第四の防水シート）には、必要に応じて断熱材を挿入する収納部を設けるのが好ましい。
【００１６】
更に、上記本発明の就寝用カプセルユニット複数個を含む就寝用カプセルユニット積層体は、前記就寝用カプセルユニット積層体の底面側から上面側に延びる少なくとも第一の防水シート、第二の防水シート及び第三の防水シートの３枚を含み、前記第一の防水シート及び前記第二の防水シートが前記積層体の長さ方向両端を覆い、前記第三の防水シートが前記積層体の一の側面、上面及び他の側面を覆うジャケットを具備してもよい。
【００１７】
また、上記本発明の就寝用カプセルユニットは、前記就寝用カプセルユニット積層体の底面側から上面側に延びる少なくとも第一の防水シート、第二の防水シート、第三の防水シート及び第四の防水シートの４枚を含み、前記第一の防水シート及び前記第二の防水シートが前記積層体の長さ方向両端を覆い、前記第三の防水シートが前記積層体の一の側面、上面及び他の側面を順に覆い、前記第四の防水シートが前記積層体の他の側面、上面及び一の側面を順に覆いかつ前記第四の防水シートに重ねられるジャケットを具備してもよい。
【００１８】
このような構成を有する本発明の就寝用カプセル構造体は、簡単な構造で、屋外でも雨水等が入り込んでくることなく使用でき好ましい。これらの場合、前記第一の防水シート又は前記第二の防水シートには、前記構造体において前記開口部に対応する位置に開閉自在な窓部を有するのが好ましい。また、前記第三の防水シート（及び／又は前記第四の防水シート）には、必要に応じて断熱材を挿入する収納部を設けるのが好ましい。
【発明の効果】
【００１９】
本発明によれば、仲間同士や家族同士で使用するのに便利な組合せが可能な構造を有し、屋外でも雨水等が入り込んでくることなく使用できる就寝用カプセルユニット及びこれを複数含む就寝用カプセル構造体を提供することができる。
【図面の簡単な説明】
【００２０】
【図１】本発明の就寝用カプセル構造体１の一実施形態の構成を概念的に示す概略斜視図である。
【図２】図１に示す就寝用カプセル構造体１のジャケット４を開いた様子を概念的に示す概略斜視図である。
【図３】図１において矢印Ｘの方向からみた就寝用カプセル構造体１（特にジャケット４）の様子を概念的に示す概略側面図である。
【図４】図１において矢印Ｘの方向からみた就寝用カプセル構造体１のジャケット４の変形例の様子を概念的に示す概略側面図である。
【図５】図１に示す就寝用カプセル構造体１に用いられる枠状の土台の様子を概念的に示す概略斜視図である。
【図６】図１に示す就寝用カプセル構造体１に用いられる土台の変形例の様子を概念的に示す概略斜視図である。
【発明を実施するための形態】
【００２１】
以下、本発明の就寝用カプセルユニット及びこれを複数個含む就寝用カプセル構造体に関し、就寝用カプセルユニットを複数個含む就寝用カプセル構造体に代表させて、図面を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２２】
図１は、本発明の就寝用カプセル構造体１の一実施形態の構成を概念的に示す概略斜視図であり、図２は、図１に示す就寝用カプセル構造体１のジャケット４を開いた様子を概念的に示す概略斜視図である。また、図３は、図１において矢印Ｘの方向からみた就寝用カプセル構造体１（特にジャケット４）の様子を概念的に示す概略側面図である。
【００２３】
図１に示す就寝用カプセル構造体１は、就寝用カプセルユニット１０を２個上下に積層した積層体２と、積層体２を覆うジャケット４と、を含むものである。就寝用カプセルユニット１０は、図２に示すように、長さ方向を有する中空状の筐体１０ａと、筐体１０ａの長さ方向の端部に設けられた開口部１０ｂと、を有している。
【００２４】
また、就寝用カプセルユニット１０は、図３に示すように、筐体１０ａの底面側４隅に設けられた４つの脚部１０ｃと、筐体１０ａの上面側４隅に設けられた前記４つの脚部１０ｃに対応した４つの凹部（図５における１６ｄ）と、を有している。これにより、就寝用カプセルユニット１０を積層した場合に安定させることができる。
【００２５】
筐体１０ａは、従来の就寝用カプセルユニットと同様の材料で構成することができ、例えばアルミニウム等の金属材料や繊維強化プラスチック（ＦＲＰ：Ｆｉｂｅｒ  Ｒｅｉｎｆｏｒｃｅｄ  Ｐｌａｓｔｉｃｓ）等の樹脂材料が挙げられる。
【００２６】
また、ジャケット４は、主として雨風が就寝用カプセルユニット１０に届くのを防止し、場合によっては断熱材を収納するためのものであるから、少なくとも防水性を有するシートで構成されるものである。
【００２７】
かかる防水シートとしては、従来公知のものを使用することができるが、例えば、ポリエチレン（ＰＥ）、ポリプロピレン（ＰＰ）、チレン−酢酸ビニル共重合体（ＥＶＡ）、ポリ塩化ビニル（ＰＶＣ）、ポリオレフィン樹脂と歴青物との混合物、その他軟質プラスチックシートやゴム類からなるゴムシート等を挙げることができ、これらは単体シートとしても、織布、不織布等との複合シートとしても好適に使用することができる。
【００２８】
ジャケット４は、就寝用カプセルユニット積層体２の底面側から上面側に延びる少なくとも第一の防水シート４ａ、第二の防水シート４ｂ及び第三の防水シート４ｃの３枚を含み、第一の防水シート４ａ及び第二の防水シート４ｂが積層体２の長さ方向両端を覆い、第三の防水シート４ｃが積層体２の一の側面、上面及び他の側面を覆う。
【００２９】
ここで、ジャケット４の第一の防水シート４ａ及び第二の防水シート４ｃには、前記積層体２において前記筐体１０ａのうちの開口部１０ｂに対応する位置に開閉自在な窓部６（図１の「８」）を有する。この窓部６はベルト６ａにより束ねて留めることができる構成となっている。
【００３０】
また、第三の防水シート４ｂには、必要に応じて断熱材を挿入する収納部Ｙが設けられている。この第三の防水シート４ｂは、図３に示すように、一の側面から上面を経て他の側面までを覆うように使用される。そして、端部には例えばファスナ４ｌが設けられ、他の側面において閉じられる。
【００３１】
ジャケット４で積層体２を覆う際には、第一の防水シート４ａと第三の防水シート４ｂは、ファスナ４ａｂで互いに閉じ、第三の防水シート４ｂと第二の防水シート４ｃは、ファスナ４ｂｃで互いに閉じる。これにより積層体２の筐体１０ａ内における密封性を保持することができる。
【００３２】
なお、図４は、図１において矢印Ｘの方向からみた就寝用カプセル構造体１のジャケット４の変形例の様子を概念的に示す概略側面図である。図４に示すように、ジャケット４は、積層体２の底面側から上面側に延びる少なくとも第一の防水シート４ａ、第二の防水シート４ｃの他、第三の防水シート４ｂ及び第四の防水シート４ｄの４枚を含み、第一の防水シート４ａ及び第二の防水シート４ｃが前記積層体２の長さ方向両端を覆い、第三の防水シート４ｂが前記積層体２の一の側面、上面及び他の側面を順に覆い、第四の防水シート４ｄが前記積層体２の他の側面、上面及び一の側面を順に覆いかつ第三の防水シート４ｂに重ねられてもよい。この場合も、内側にファスナ４ｍを設ければよい。
【００３３】
次に、図５は、図１に示す就寝用カプセル構造体１に用いられる枠状の土台１２の様子を概念的に示す概略斜視図である。図５において、（ｉｉ）は（ｉ）におけるＺ１部分の拡大図である。図５に示すように、この土台１２は、少なくとも端部に中空部１４ａを有する４本の管状部材１４と、これらを連結する４つの台座部１６と、で構成されている。
【００３４】
台座部１６には、管状部材１４を嵌めるための２つの突起部１６ａが、水平方向において互いに垂直に延びるように設けられている。即ち、直角状に折り曲げられた構造を有する壁部１６ｂが平板略Ｌ字状の台座１６ｃと一体化されており、壁部１６ｂに突起部１６ａが設けられている。
【００３５】
また、平板略Ｌ字状の台座１６ｃには、略円状の凹部１６ｄが形成されており、ここに脚部１０ｃが載置されて、寝用カプセル構造体１が地面に食い込むことなく安定的に設置されることになる。
【００３６】
なお、図５に示す実施形態においては、ジャケット４を構成する第一の防水シート４ａ、第二の防水シート４ｃ、第三の防水シート４ｂ及び第四の防水シート４ｄは、それぞれ端部が折り返されて挿入部を構成しており、ここに管状部材１４が通されている（図５の（ｉｉ）には第二の防水シート４ｃ及び第三の防水シート４ｂが表されている。）。
【００３７】
ここで、土台１２の変形例として土台１２Ａを説明する。図６は、図１に示す就寝用カプセル構造体１に用いられる土台の変形例の様子を概念的に示す概略斜視図である。図６において、（ｉｉ）は（ｉ）におけるＺ２部分の拡大図である。
【００３８】
図６に示すように、この変形例に係る土台１２では、４つの台座部が、単一の平板状部材に一体的に設けられており、平板状に形成されている。そして、ジャケット４は、固定プレート１８を介して、土台１２の周縁部にボルト２０ａ及びナット２０ｂで取り付けられる。
【００３９】
以上、本発明の一実施形態について図面を参照しつつ説明してきたが、本発明は、これらの実施形態に限定されるものではなく、特許請求の範囲の記載の精神及び教示を逸脱しない範囲でその他の改良例、変形が存在することを当業者に容易に理解されるであろう。
【符号の説明】
【００４０】
１・・・就寝用カプセル構造体、
２・・・積層体、
４・・・ジャケット、
４ａ・・・第一の防水シート、
４ｂ・・・第二の防水シート、
４ｃ・・・第三の防水シート、
４ｄ・・・第四の防水シート、
４ｌ・・・ファスナ、
４ｍ・・・ファスナ、
４ａｂ・・・ファスナ、
４ｂｃ・・・ファスナ、
６・・・窓部、
６ａ・・・ベルト、
８・・・窓部、
１０・・・就寝用カプセルユニット、
１０ａ・・・筐体、
１０ｂ・・・開口部、
１０ｃ・・・脚部、
１２、１２Ａ・・・土台、
１４・・・管状部材、
１４ａ・・・中空部、
１６・・・台座部、
１６ａ・・・突起部、
１６ｂ・・・壁部、
１６ｃ・・・台座、
１６ｄ・・・凹部。
【図１】
2017137622.tif 000003
【図２】
2017137622.tif 000004
【図３】
2017137622.tif 000005
【図４】
2017137622.tif 000006
【図５】
2017137622.tif 000007
【図６】
2017137622.tif 000008